(57)【特許請求の範囲】
【請求項１】
第１表示電極群と第２表示電極群とが、マトリクス表示の行毎に面放電ギャップを形成し、かつ隣り合う２行において面放電ギャップを形成する第１表示電極と第２表示電極との行配列方向の位置関係が反対になるように配列されるとともに、第１表示電極に対する通電のための端子と第２表示電極に対する通電のための端子とが表示面の一方側と他方側とに振り分けて配置されたＡＣ型のプラズマディスプレイパネルの駆動方法であって、
前記第１表示電極群を、第２表示電極のみと隣り合う第１表示電極および互いの間に面放電ギャップを含まずに並ぶ複数の第１表示電極からなる電極列のそれぞれを１単位として、配列順に１単位ずつ振り分ける形式でｋ（ｋ≧２）個のグループに分け、
前記第１表示電極群に対して、１グル−プずつ順にデューティ比が５０％の矩形電圧パルス列をパルス幅の２／ｋの時間ずつずらして印加し、かつ前記第２表示電極群に対して、前記矩形電圧パルス列と同様の矩形電圧パルス列を、隣り合う第１表示電極との間のずれがパルス幅の１／ｋとなるように印加することによって、表示放電を生じさせる
ことを特徴とするプラズマディスプレイパネルの駆動方法。
【請求項２】
第１表示電極群と第２表示電極群とがマトリクス表示の行毎に面放電ギャップを形成しかつ隣り合う２行の表示に１本の電極を共用するように配列され、第１表示電極に対する通電のための端子と第２表示電極に対する通電のための端子とが表示面の一方側と他方側とに振り分けて配置されたＡＣ型のプラズマディスプレイパネルの駆動方法であって、
前記第１表示電極群を配列順に１本ずつ振り分ける形式でｋ（ｋ≧２）個のグループに分け、
前記第１表示電極群に対して、１グル−プずつ順にデューティ比が５０％の矩形電圧パルス列をパルス幅の２／ｋの時間ずつずらして印加し、かつ前記第２表示電極群に対して、前記矩形電圧パルス列と同様の矩形電圧パルス列を、隣り合う第１表示電極との間のずれがパルス幅の１／ｋとなるように印加することによって、表示放電を生じさせる
ことを特徴とするプラズマディスプレイパネルの駆動方法。
【請求項３】
第１表示電極群と第２表示電極群とが、マトリクス表示の行毎に面放電ギャップを形成しかつ表示電極配列の両端を除いて第１表示電極と第２表示電極とが２本ずつ交互に並ぶように配列されるとともに、第１表示電極に対する通電のための端子と第２表示電極に対する通電のための端子とが、表示面の一方側と他方側とに振り分けて配置されたＡＣ型のプラズマディスプレイパネルの駆動方法であって、
前記第１表示電極群について、隣り合う２本の第１表示電極を１単位として、２単位ずつ分ける形式で複数の電極単位対を設定し、同様に前記第２表示電極群についても複数の電極単位対を設定し、
前記複数の電極単位対に該当する第１表示電極を配列順に１単位ずつ振り分ける形式でｋ（ｋ≧２）個のグループに分け、
前記第１表示電極群に対して、電極単位対をなす第１表示電極の単位どうしにおいて電位変化が相補関係となるように、１グル−プずつ順にデューティ比が５０％の矩形電圧パルス列をパルス幅の２／ｋの時間ずつずらして印加するとともに、
前記第２表示電極群に対して、前記矩形電圧パルス列と同様の矩形電圧パルス列を、電極単位対をなす第２表示電極の単位どうしにおいて電位変化が相補関係となり、かつ隣り合う第１表示電極との間のずれがパルス幅の１／ｋとなるように印加することによって、表示放電を生じさせる
ことを特徴とするプラズマディスプレイパネルの駆動方法。
【請求項４】
前記矩形電圧パルス列の印加に先立って、パルス幅が前記パルス幅より長い維持電圧パルスを前記第１表示電極群および第２表示電極群に印加する
請求項２または請求項３記載のプラズマディスプレイパネルの駆動方法。
【請求項５】
第１表示電極群と第２表示電極群とが、マトリクス表示の行毎に面放電ギャップを形成し、かつ隣り合う２行において面放電ギャップを形成する第１表示電極と第２表示電極との行配列方向の位置関係が反対になるように配列されるとともに、第１表示電極に対する通電のための端子と第２表示電極に対する通電のための端子とが表示面の一方側と他方側とに振り分けて配置されたＡＣ型のプラズマディスプレイパネルを有する表示装置であって、
前記第１表示電極群が、第２表示電極のみと隣り合う第１表示電極および互いの間に面放電ギャップを含まずに並ぶ複数の第１表示電極からなる電極列のそれぞれを１単位として、配列順に１単位ずつ振り分ける形式でｋ（ｋ≧２）個のグループに分けられており、
前記第１表示電極群に対して、１グル−プずつ順にデューティ比が５０％の矩形電圧パルス列をパルス幅の２／ｋの時間ずつずらして印加し、かつ前記第２表示電極群に対して、前記矩形電圧パルス列と同様の矩形電圧パルス列を、隣り合う第１表示電極との間のずれがパルス幅の１／ｋとなるように印加することによって、表示放電を生じさせる駆動回路を備えた
ことを特徴とする表示装置。
【発明の詳細な説明】
【０００１】
【発明の属する技術分野】
本発明は、面放電形式のプラズマディスプレイパネル（Plasma Display Panel：ＰＤＰ）の駆動方法に関する。
【０００２】
ＰＤＰは壁掛けテレビジョンやコンピュータのモニターとして商品化されており、その画面サイズは６０インチに達している。また、ＰＤＰは、２値発光セルからなるデジタル表示デバイスであってデジタルデータの表示に好適であることから、マルチメディアモニターとしても期待されている。市場では、高品位のデジタル画像に対応した解像度をもち、かつ明るい表示の可能なデバイスが望まれている。
【０００３】
【従来の技術】
ＡＣ型のＰＤＰによる表示においては、表示内容に応じて誘電体の帯電量（壁電荷量）を制御するアドレッシングを行い、その後に壁電荷を利用して輝度に応じた回数の表示放電を生じさせる点灯維持を行う。点灯維持では、表示電極対に交番極性の維持電圧Ｖｓを印加する。維持電圧Ｖｓは（１）式を満たす。
【０００４】
ＶｆXY−ＶｗXY＜Ｖｓ＜ＶｆXY  …（１）
ＶｆXY：表示電極間の放電開始電圧
ＶｗXY：表示電極間の壁電圧
維持電圧Ｖｓの印加により、所定量の壁電荷の存在するセルのみでセル電圧（電極に印加する駆動電圧と壁電圧との和）が放電開始電圧ＶｆXYを越えて表示放電が生じる。通常の印加周期は数マイクロ秒程度の短い時間であるので、視覚的には発光が連続する。
【０００５】
カラー表示用のＡＣ型ＰＤＰにおいて面放電形式が採用されている。ここでいう面放電形式は、表示放電において陽極および陰極となる表示電極を、前面側または背面側の基板の上に平行に配列し、表示電極対と交差するようにアドレス電極を配列する形式である。面放電形式のＰＤＰにおいても、表示電極と駆動回路との接続には、表示電極の端子を電極配列順に１本ずつ交互に表示面の両側（ここでは左側と右側）に振り分けて設ける一般的手法が適用されている。
【０００６】
面放電形式における表示電極の配列には２つの形態がある。ここでは便宜的に一方を形態Ａ、他方を形態Ｂと呼称する。形態Ａは、行毎に一対ずつ表示電極を配列するものである。表示電極の総数は行数ｎの２倍となる。形態Ａでは、各行が制御の上で独立しているので、駆動シーケンスの自由度が大きい。しかし、隣り合う行どうしの電極間隙（逆スリットと呼称される）が非発光領域となるので、表示面の利用率は小さい。形態Ｂは、行数ｎに１を加えた本数の表示電極を実質的に等間隔に２行に３本の割合で配列する形態である。形態Ｂでは、隣り合う表示電極どうしが面放電のための電極対を構成し、全ての表示電極間隙が面放電ギャップとなる  配列の両端を除く表示電極は奇数行と偶数行の表示に係わる。高精細化（行ピッチの縮小）、表示面の有効利用、および高解像度化（行数の増大）の観点において、この形態Ｂが有利である。
【０００７】
【発明が解決しようとする課題】
従来、形態Ｂの電極構造をもつＰＤＰはインタレース形式の表示に用いられていた。インタレース形式は、奇数フィールドでは偶数行を発光させないというように、奇数および偶数の各フィールドにおいて画面全体の半数の行を表示に用いないので、プログレッシブ形式と比べて輝度が低い。また、インタレース形式では、静止画の表示においてフリッカが目立つという問題もある。ＤＶＤやＨＤＴＶなどの高画質機器で要求される高品位の表示にはプログレッシブ形式が適している。
【０００８】
形態ＢのＰＤＰであっても、適切にアドレッシングを行うことができれば、プログレッシブ形式の表示を実現することができる。すなわち、形態ＡのＰＤＰによる場合と同様に交番極性の維持電圧Ｖｓを表示電極対に印加すれば、奇数行および偶数行を同時に発光させることができる。しかし、隣り合う表示電極の一方と他方とを交互にバイアスする一般的な駆動方法をそのまま適用すると、表示放電が生じたときに表示電極を流れる電流の向きが全ての表示電極において同一となる。電流の向きが同一であると、通電に伴って発生する磁界が合わさって強まり、表示面から外部への電磁波放射の問題が起こる。
【０００９】
電磁波放射の低減に関して、形態ＡのＰＤＰに有効な駆動方法が特開平１０−３２８０号公報に開示されている。開示のとおり、形態Ａであれば、奇数行では表示面の左側に端子が設けられた表示電極をバイアスし、偶数行では右側に端子が設けられた表示電極をバイアスするというように、バイアスする表示電極を左右に振り分けることによって、奇数行の電流の向きと偶数行の電流の向きとを逆にすることができる。電流の向きが逆であれば、磁界が打ち消しあって弱まる。隣り合う行どうしで点灯セルの数が等しい画像を表示するときには、磁界が完全に打ち消しあう。しかし、この先行技術は、形態ＢのＰＤＰには適用できない。それは、形態Ｂでは隣り合う奇数行と偶数行とで表示電極が共用され、各行について個別に電流の向きを設定できないからである。
【００１０】
本発明は、２行に３本の割合で表示電極が配列されたＰＤＰによる表示において、アドレッシングから次のアドレッシングまでの間の点灯維持で全ての行を点灯させることができ、かつ電磁波放射を十分に低減することができる駆動方法の提供を目的としている。
【００１１】
【課題を解決するための手段】
本発明においては、次の条件１および条件２を満たすように駆動波形を設定する。
条件１：各表示電極に対して、表示面に対する同じ側に端子が設けられかつ電流の向きが逆となるような他の１つの表示電極が存在する。
条件２：表示電極間に放電に必要な電位差を生じさせる。
【００１２】
すなわち、表示面の一方側に端子が設けられた第１表示電極群について２本ずつ分ける形式で複数の電極対を設定し、同様に表示面の他方側に端子が設けられた第２表示電極群についても複数の電極対を設定し、電極対をなす第１表示電極どうしおよび第２表示電極どうしにおける電位変化を相補関係とする。そして、ｋ（ｋ≧２）行あたり１行の割合で表示電極間に維持電圧が加わり、かつその維持電圧の加わる表示電極間が順に変わるように、第１表示電極群および第２表示電極群の電位を変化させる。対をなす表示電極どうしで磁界が打ち消しあい、それによって電磁波放射が低減される。
【００１３】
または、第１表示電極に対する通電のための端子および第２表示電極に対する通電のための端子を表示面の一方側にまとめて配置し、第１表示電極群と第２表示電極群とに対して、交互に維持電圧パルスを印加する。
【００１４】
【発明の実施の形態】
〔第１実施形態〕
最初に本発明の駆動方法を適用する装置の構成を説明し、その後に駆動方法を説明する。本発明の駆動方法の特徴である点灯維持の制御とともに、本発明の実施に深く係わるアドレッシングについても詳しく説明する。
［装置構成］
図１は第１実施形態に係る表示装置の構成図である。図中の参照符号の添字は電極の配列順位を示す。表示装置１００は、ｍ×ｎ個のセルからなるカラー表示の可能な表示面を有した面放電型のＰＤＰ１と、セルの発光を制御するドライブユニット７０とから構成されており、壁掛け式テレビジョン受像機、コンピュータシステムのモニターなどとして利用される。
【００１５】
ＰＤＰ１において、表示放電を生じさせるための第１および第２の表示電極Ｘ，ＹはＸＹＸ…ＹＸの順に平行に配列され、これら表示電極Ｘ，Ｙと交差するようにアドレス電極Ａが配列されている。表示電極Ｘ，Ｙはマトリクス表示の行方向（水平方向）に延び、アドレス電極は列方向（垂直方向）に延びている。表示電極Ｘ，Ｙの総数は行数ｎに１を加えた（ｎ＋１）であり、アドレス電極Ａの総数は列数ｍと同数である。本実施形態において行数ｎは偶数である。表示電極Ｘの端子は表示面に対する行方向の一方側に配置され、表示電極Ｙの端子は他方側に配置されている。
【００１６】
ドライブユニット７０は、駆動制御を担う制御回路７１、駆動電力を出力する電源回路７３、表示電極Ｘの電位を制御するＸドライバ７４、表示電極Ｙの電位を制御するＹドライバ７７、およびアドレス電極Ａの電位を制御するＡドライバ８０を有している。ドライブユニット７０にはＴＶチューナ、コンピュータなどの外部装置からＲ，Ｇ，Ｂの３色の輝度レベルを示すフレームデータＤｆが、各種の同期信号とともに入力される。フレームデータＤｆは制御回路７１の中のフレームメモリ７１１に一時的に記憶される。制御回路７１は、フレームデータＤｆを階調表示のためのサブフィールドデータＤｓｆに変換してＡドライバ８０へシルアル転送する。サブフィールドデータＤｓｆは１セル当たり１ビットの表示データの集合であって、その各ビットの値は該当する１つのサブフィールドにおけるセルの発光の要否、厳密にはアドレス放電の要否を示す。
【００１７】
［パネル構造］
図２はＰＤＰのセル構造を示す図である。ＰＤＰ１は一対の基板構体（基板上にセル構成要素を設けた構造体）１０，２０からなる。前面側の基板構体１０の基材であるガラス基板１１の内面に、行ピッチと同じピッチで表示電極Ｘ，Ｙが配列されている。なお、行とは、列方向の配置順序が等しい列数分（ｍ個）のセルの集合を意味する。表示電極Ｘ，Ｙのそれぞれは、セル毎に面放電ギャップを形成する透明導電膜４１とその列方向の中央に重ねられた金属膜（バス導体）４２とからなる。金属膜４２は表示面ＥＳの外側へ引き出され、対応するドライバと接続される。表示電極Ｘ，Ｙを被覆するように誘電体層１７が設けられ、誘電体層１７の表面には保護膜１８としてマグネシア（ＭｇＯ）が被着されている。背面側の基板構体２０の基材であるガラス基板２１の内面には１列に１本ずつアドレス電極Ａが配列されており、これらアドレス電極Ａは誘電体層２４で被覆されている。誘電体層２４の上に高さ１５０μｍ程度の隔壁２９が設けられている。隔壁２９は、放電空間を列毎に区画する部分（以下、垂直壁という）２９１と、放電空間を行毎に区画する部分（以下、水平壁という）２９２とからなる。そして、誘電体層２４の表面および隔壁２９の側面を被覆するように、カラー表示のためのＲ，Ｇ，Ｂの３色の蛍光体層２８Ｒ，２８Ｇ，２８Ｂが設けられている。図中の斜体文字（Ｒ，Ｇ，Ｂ）は蛍光体の発光色を示す。色配列は各列のセルを同色とするＲ，Ｇ，Ｂの繰り返しパターンである。蛍光体層２８Ｒ，２８Ｇ，２８Ｂは放電ガスが放つ紫外線によって励起されて発光する。
【００１８】
図３はＰＤＰの隔壁パターンを示す平面図である。隔壁パターンはセルＣを個々に囲む格子パターンである。格子パターンでは、放電空間３１が実質的にセル毎に区画されるので、水平壁を省略するストライプパターンとは違って列方向の放電干渉が生じない。また、水平壁２９２の側面にも蛍光体を設けることにより、発光効率が高まる。水平壁２９２と重なるように表示電極Ｘ，Ｙの金属膜４２を配置することにより、金属膜４２による表示光に対する遮光を避けることができる。
【００１９】
［駆動方法］
図４は期間設定の概要を示す図である。１シーンの画像情報であるフレームをフレーム期間Ｔｆにおいてプログレッシブ形式で表示する。色別の階調表示によるカラー再現を行うために、フレームを例えば８個のサブフレームに分割する。つまり、各フレームを８個のサブフレームの集合に置き換える。これらサブフレームに輝度の重み付けをして各サブフレームの表示放電の回数を設定する。サブフレーム単位の点灯／非点灯の組合せでＲＧＢの各色毎に他段階の輝度設定を行うことができる。図ではサブフレーム配列が重みの順であるが、他の順序であってもよい。このようなフレーム構成に合わせて、フレーム期間Ｔｆを８個のサブフレーム期間Ｔｓｆ１〜Ｔｓｆ８に分割する。さらに、各サブフレーム期間Ｔｓｆ１〜Ｔｓｆ８を、画面全体の電荷分布を均一化する準備期間ＴＲ、表示内容に応じた帯電分布を形成するアドレス期間ＴＡ、および階調レベルに応じた輝度を確保するために点灯状態を維持する表示期間ＴＳに分ける。準備期間ＴＲおよびアドレス期間ＴＡの長さは輝度の重みに係わらず一定であり、表示期間ＴＳの長さは輝度の重みが大きいほど長い。
【００２０】
図５はプログレッシブ表示を実現する駆動シーケンスの一例を示す電圧波形図、図６は壁電荷の極性変化を示す図、図７はアドレス順序を示す図である。準備期間ＴＲ・アドレス期間ＴＡ・表示期間ＴＳの順序は８個のサブフィールドにおいて共通であり、駆動シーケンスはサブフィールド毎に繰り返される。なお、波形については、振幅、極性、タイミングを種々変更することが可能である。図示の消去アドレス形式に限らず、書込みアドレス形式を採用してもよい。
【００２１】
準備期間ＴＲでは、ランプ波形パルス・鈍波波形パルス・矩形パルスを適切に組み合わせて印加することにより、全ての行に維持電圧の印加で放電が生じる量の壁電荷を形成する。パルスの印加とは電極を一時的に所定電位にバイアスすることを意味する。準備期間ＴＲの終了時点での壁電荷の極性は、各行における表示電極Ｘの側では（＋）であり、表示電極Ｙの側では（−）である。各表示電極Ｘ，Ｙの近傍の帯電をみると、図６のとおり水平壁２９２の両側に同極性でほぼ同量の壁電荷が存在している。
【００２２】
図５に戻り、アドレッシングに際しては、表示電極Ｙをスキャン電極として個別に制御する。そして、表示電極Ｘを、これらのみに注目して数えた配列順位が奇数であるか偶数であるかによって第１グループ（Ｘ1 ，Ｘ3 ，Ｘ5 …）と第２グループ（Ｘ2 ，Ｘ4 ，Ｘ6 …）とに分類し、グループ毎に共通の電位制御をする。アドレス期間ＴＡの前半部ＴＡ１１においては、最初に第２グループの表示電極Ｘ2 ，Ｘ4 ，Ｘ6 …に振幅Ｖｓの正極性のサステインパルスＰｓを印加する（＃１）。これにより、表示電極Ｘ2 ，Ｘ4 ，Ｘ6 …が関係する行（後半部ＴＡ１２のアドレッシング対象）において、放電が生じて壁電荷の極性が反転する。放電は水平壁２９２によって行毎に局所化されるので、各表示電極Ｙの近傍の帯電をみると、水平壁２９２を境界として表示電極Ｘ2 ，Ｘ4 ，Ｘ6 …の側の極性が反転し、第１グループの表示電極Ｘ1 ，Ｘ3 ，Ｘ5 …の側の極性は反転しない。このような壁電荷制御に続いて、一旦、全ての表示電極Ｙの電位を負極性の選択電位（Ｖｙ）まで徐々に変化させた後に非選択電位（Ｖｓｃ）にバイアスし、第１グループの表示電極Ｘ1 ，Ｘ3 ，Ｘ5 …を選択電位（Ｖａｘ）にバイアスする。その状態で全ての表示電極Ｙに対して１本ずつ順にスキャンパルスＰｙを印加する。すなわち、選択行の表示電極Ｙを一時的に選択電位（Ｖｙ）にバイアスする。表示電極Ｙの配列順にスキャンパルスＰｙを印加すると、図７のように先頭行を選択した後、２行置きに２行ずつ選択する順序で行選択が行われる。スキャンパルスＰｙによる行選択に同期させて、後の表示期間ＴＳで非点灯とすべきセル（消去アドレッシングにおける選択セル）に対応したアドレス電極ＡにアドレスパルスＰａを印加する。表示電極Ｘがバイアスされ、スキャンパルスＰｙが印加され、かつアドレスパルスＰａが印加されたセルでアドレス放電が起こり、図６で実線で示すように壁電荷が消失する。点灯すべきセル（非選択セル）にはアドレスパルスＰａが印加されず、図６で破線で示すように壁電荷が残留する。
【００２３】
ここで、重要なことは、各表示電極Ｙが隣り合う２行に共通であるにもかかわらず、片方の行のみのアドレッシングが行われることである。上述のとおり、行選択に先立って第２グループの表示電極Ｘ2 ，Ｘ4 ，Ｘ6 …が関係する行の壁電荷の極性を反転させることにより、これらの行では壁電荷がスキャンパルスＰｙを打ち消すように作用するのでアドレス放電が起きない。
【００２４】
アドレス期間ＴＡの後半部ＴＡ１２においては、最初に全ての表示電極ＹにサステインパルスＰｓを印加することによって、表示電極Ｘ2 ，Ｘ4 ，Ｘ6 …が関係する行における壁電荷の極性を再び反転させる（＃２）。すなわち、後半部ＴＡ１２のアドレッシング対象の帯電状態を準備期間ＴＲの終了時点の状態に戻す。続いて、第１グループの表示電極Ｘ1 ，Ｘ3 ，Ｘ5 …にサステインパルスＰｓを印加する（＃３）。これにより、前半部ＴＡ１１において選択された行の非選択セルで放電が生じ、残留している壁電荷の極性が反転する。このような壁電荷制御に続いて、一旦、全ての表示電極Ｙの電位を選択電位（Ｖｙ）まで徐々に変化させた後に非選択電位（Ｖｓｃ）にバイアスし、表示電極Ｘ2 ，Ｘ4 ，Ｘ6 …を選択電位（Ｖａｘ）にバイアスする。その状態で全ての表示電極Ｙに対して１本ずつ順にスキャンパルスＰｙを印加する。表示電極Ｙの配列順にスキャンパルスＰｙを印加すると、図７のように前半部ＴＡ１１で選択されなかった行が順に選択される。スキャンパルスＰｙによる行選択に同期させて、選択セルに対応したアドレス電極ＡにアドレスパルスＰａを印加してアドレス放電を起こす。前半部ＴＡ１１と同様に対象外の行について予め壁電荷の極性を反転してあるので、壁電荷がスキャンパルスＰｙを打ち消すように作用する。したがって、対象外の行ではアドレス放電が起きない。
【００２５】
バイアス電位の実用例は次のとおりである。
Ｖｓ：１６０〜１９０ボルト
Ｖｙ：−４０〜−９０ボルト
Ｖｓｃ：０〜６０ボルト
Ｖａｘ：０〜８０ボルト
表示期間ＴＳにおいては、最初に全ての表示電極Ｙに一斉にサステインパルスＰｓを印加する。これにより、表示電極Ｙと表示電極Ｘ1 ，Ｘ3 ，Ｘ5 …とが関係する行で表示放電が起こり、全ての点灯すべきセルにおいて壁電荷の極性と表示電極Ｘ，Ｙとの関係が同一となる。以降は本発明に則した後述のタイミングで表示電極Ｘと表示電極ＹとにサステインパルスＰｓを印加する。パルスの印加により、点灯すべきセルのうちの維持電圧が加わったセルで表示放電が起こる。
【００２６】
以下、本発明を適用した点灯維持の制御を説明する。
図８は表示期間の駆動波形の第１例を示す図、図９は第１例の駆動波形を適用した場合における行と放電時期との関係を示す図である。点灯維持に際しては、アドレッシングと同様に表示電極Ｘをこれらのみに注目して数えた配列順位が奇数であるか偶数であるかによって第１のグループＸＧ１と第２のグループＸＧ２とに分類し、グループ毎に共通の電位制御をする。また、表示電極Ｙについても、これらのみに注目して数えた配列順位が奇数であるか偶数であるかによって第１のグループＹＧ１と第２のグループＹＧ２とに分類し、グループ毎に共通の電位制御をする。第１例において、表示電極Ｘ，Ｙのグループ数ｋはともに“２”である。
【００２７】
表示電極Ｘに対して、１グル−プずつ順に複数のサステインパルスＰｓからなる一定周期（＝４ａ）の矩形電圧パルス列をパルス幅（＝２ａ）の２／ｋの時間ずつずらして印加する。本例ではｋ＝２であるので、ずれはパルス幅と同じ時間である。そして、表示電極Ｙに対して、同様の矩形電圧パルス列を、隣り合う表示電極Ｘとの間のずれがパルス幅の１／ｋ（＝２ａ／２＝ａ）となるように印加する。これにより、奇数行と偶数行とで交互に表示放電が生じる。
【００２８】
例えば、グループＸＧ１に対するサステインパルスＰｓの前縁時点ｔ１においては、グループＸＧ１の表示電極ＸとグループＹＧ１の表示電極Ｙとの間、およびグループＸＧ２の表示電極ＸとグループＹＧ２の表示電極Ｙとの間に所定の電位差が生じるので、奇数行で表示放電が生じる。なお、実際には放電遅れがあるので、ずれの長さａを５００ナノ秒以上とする。
【００２９】
グループＹＧ１に対するサステインパルスＰｓの前縁時点ｔ２においては、グループＹＧ１の表示電極ＹとグループＸＧ２の表示電極Ｘとの間、およびグループＹＧ２の表示電極ＹとグループＸＧ１の表示電極Ｘとの間に所定の電位差が生じるので、偶数行で表示放電が生じる。
【００３０】
グループＸＧ１に対するサステインパルスＰｓの後縁時点ｔ３においては、グループＸＧ１の表示電極ＸとグループＹＧ１の表示電極Ｙとの間、およびグループＸＧ２の表示電極ＸとグループＹＧ２の表示電極Ｙとの間に極性が以前と反対の電位差が生じるので、再び奇数行で表示放電が生じる。
【００３１】
グループＹＧ１に対するサステインパルスＰｓの後縁時点ｔ４においては、グループＹＧ１の表示電極ＹとグループＸＧ２の表示電極Ｘとの間、およびグループＹＧ２の表示電極ＹとグループＸＧ１の表示電極Ｘとの間に極性が以前と反対の電位差が生じるので、再び偶数行で表示放電が生じる。
【００３２】
例示の矩形電圧パルス列のデューティ比は５０％であるので、一定間隔（＝ａ）で表示放電を生じさせることができる。つまり、放電遅れに対する許容時間を均等にして駆動の信頼性を高める上で、デューティ比としては５０％が最適である。
【００３３】
奇数行と偶数行とでセルの点灯の時期がずれることにより、放電電流のピーク値が同時点灯の場合の１／２となるので、駆動回路の負担が小さくなる。点灯の時期がずれても視覚的には同時点灯と同様の明るい表示となる。
【００３４】
このようにパルスを印加することにより電磁波放射を低減することができる。図８において表示電極Ｘの波形に注目すると、グループＸＧ１の電位変化とグループＸＧ２の電位変化とが相補関係になっている。一方の電位が上昇するときには他方が降下し、一方の電位が降下するときには他方が上昇する。パルス列を交流信号とみなせば、グループＸＧ１とグループＸＧ２とで位相が反転している。行数ｎを偶数とした場合、グループＸＧ１の電極数はグループＸＧ２のそれよりも１本多い。しかし、通常の行数ｎは数百以上であるので、実質的にはグループＸＧ１，ＸＧ２の電極数を同数とみなしてよい。つまり、ほぼ全ての表示電極Ｘに対して電位変化が相補関係となるような対となる表示電極Ｘが１本ずつ存在する。以下では、この対を“相補表示電極対”と呼称する。表示電極Ｙについても同様に、ほぼ全ての表示電極Ｙに対して相補表示電極対をなす表示電極Ｙが１本ずつ存在する。
【００３５】
図１０は相補表示電極対の設定の第１例を示す図である。同図において行数ｎは１０２４とされている。例示では表示電極Ｘについて配列順に２本ずつ分ける形式で計２５６個の相補表示電極対ＸＰ1 〜ＸＰ256 が設定され、同様に表示電極Ｙについても計２５６個の相補表示電極対ＹＰ1 〜ＹＰ256 が設定されている。
【００３６】
図１１は第１実施形態における表示電極を流れる放電電流の向きを示す図である。奇数行（または偶数行）で表示放電が生じたとき、相補表示電極対ＸＰを構成する表示電極Ｘj と表示電極Ｘj+1 とで行方向における電流の向きが逆になる。したがって、表示電極Ｘj で発生する磁界と表示電極Ｘj+1 で発生する磁界とが打ち消しあって弱まる。一般に近接する行どうしでは、点灯／非点灯のパターンが似通っている場合が多い。すなわち磁界がほぼ完全に打ち消しあう場合が多い。同様に、相補表示電極対ＹＰを構成する表示電極Ｙj と表示電極Ｙj+1 とでも電流の向きが逆になるので、表示電極Ｙj で発生する磁界と表示電極Ｙj+1 で発生する磁界とが打ち消しあって弱まる。
【００３７】
図１２は表示期間の駆動波形の第２例を示す図、図１３は第２例の駆動波形を適用した場合における行と放電時期との関係を示す図、図１４は相補表示電極対の設定の第２例を示す図である。
【００３８】
図１２の例では、点灯維持に際して表示電極Ｘを配列順に１本ずつ振り分ける形式で４個のグループＸＧ１，ＸＧ２，ＸＧ３，ＸＧ４に分類し、グループ毎に共通の電位制御をする。また、表示電極Ｙについても、同様に４個のグループＹＧ１，ＹＧ２，ＹＧ３，ＹＧ４に分類し、グループ毎に共通の電位制御をする。第２例において、表示電極Ｘ，Ｙのグループ数ｋはともに“４”である。
【００３９】
表示電極Ｘに対して、１グル−プずつ順に複数のサステインパルスＰｓからなる一定周期（＝８ｂ）の矩形電圧パルス列をパルス幅（＝４ｂ）の２／ｋの時間ずつずらして印加する。矩形電圧パルス列のデューティ比は５０％である。本例ではｋ＝４であるので、ずれはパルス幅の１／２である。そして、表示電極Ｙに対して、同様の矩形電圧パルス列を、隣り合う表示電極Ｘとの間のずれがパルス幅の１／ｋ（＝４ｂ／４＝ｂ）となるように印加する。これにより、図１３のとおり４行あたり１行の割合の該当する行で表示放電が生じる。該当する行は配列順に入れ代わる。時点ｔ１〜ｔ８の様子から判るとおり各行において一定の周期４ｂで表示放電が生じる。
【００４０】
本例においても、表示電極Ｘ，Ｙは電磁波放射の低減のための相補表示電極対を構成する。図１４では、奇数番目の表示電極Ｘを配列順に２本ずつ分け、かつ偶数番目の表示電極Ｘを配列順に２本ずつ分ける形式で計２５６個の相補表示電極対ＸＰ1 〜ＸＰ256 が設定され、同様に表示電極Ｙについても計２５６個の相補表示電極対ＹＰ1 〜ＹＰ256 が設定されている。
【００４１】
以上の点灯維持に係る駆動波形の第１例および第２例において、表示期間の初期のパルス幅を長くすることにより、確実に表示放電を生じさせて以後の点灯維持を安定にすることができる。図１５は、サステインパルスＰｓの印加に先立って、パルス幅の長いサステインパルスＰｓ２を時間ｃずつずらして印加する波形を示している。サステインパルスＰｓ２の印加による表示放電に際しても、相補表示電極対において磁界が打ち消しあう。
【００４２】
以上の駆動方法の適用は、表示電極Ｘ，Ｙを２行の表示に共用する電極構成に限らない。図１６，１７のように共用の代わりに２行のそれぞれに対応する複数の表示電極を配置した場合でも、これら複数の表示電極の電位が等しければ、共用の場合と同等の効果を得ることが可能である。図１６の例では、表示電極Ｘ，Ｙが行間に２本ずつ配列されている。これは図３に示した表示電極Ｘ，Ｙを水平壁２９２を境界として列方向に分断した構造に相当する。ただし、表示電極配列の両端については行の片側に２本の電極を配置する必要はなく、行の片側に１本の表示電極を配置すればよい。図１６の例の場合にも、表示電極Ｘどうしおよび表示電極Ｙどうしの相補対を設定して電磁波放射を低減する。このとき、表示電極Ｘ，Ｙの１本１本についてではなく、隣り合う２行の間の２本の電極を単位とし、１つの単位と他の１つの単位とからなる相補対を設定する。表示電極配列の両端については１本の表示電極が１つの単位となる。このようにして上述の相補表示電極対に相当する相補表示電極単位対ＸＰ，ＹＰを設定することにより、図８および図１２の駆動波形をそのまま適用して本発明の目的を達成することができる。図１６の例には、行毎に独立に印加電圧を設定することができ、それによって初期化やアドレッシングの駆動波形の自由度が高まるという利点がある。図１７の例では、表示電極Ｙが行間に２本ずつ配列されており、端を除く表示電極Ｘが２行の表示に共用される。これは図３に示した表示電極Ｙを水平壁２９２を境界として列方向に分断した構造に相当する。図１７の例の場合には、表示電極Ｘについては１本１本を単位とし、表示電極Ｙについては隣り合う２行の間の２本の電極を単位として、単位と単位とからなる相補対を設定する。このように相補表示電極単位対ＸＰ，ＹＰを設定することにより、図８および図１２の駆動波形をそのまま適用して本発明の目的を達成することができる。図１７の例は表示電極Ｙについてのみ行毎に独立に制御したい場合に好適である。
〔第２実施形態〕
［装置構成］
図１８は第２実施形態に係る表示装置の構成図である。表示装置１００ｂは面放電型のＰＤＰ１ｂとドライブユニット７０ｂとから構成されており、上述した第１実施形態の表示装置１と同様の表示機能をもつ。ＰＤＰ１ｂは、ＸＹＸ…ＹＸの順に平行に等間隔に配列された計（ｎ＋１）本の表示電極Ｘ，Ｙと、ｍ本のアドレス電極Ａとを有する。ｎはマトリクス表示の行数、ｍは列数である。ドライブユニット７０ｂは、制御回路７１ｂ、電源回路７３ｂ、Ｘドライバ７４ｂ、Ｙドライバ７７ｂ、およびＡドライバ８０ｂを有している。ドライブユニット７０ｂには外部装置から同期信号とともにフレームデータＤｆが入力される。フレームデータＤｆは制御回路７１ｂにおいてサブフィールドデータＤｓｆに変換される。
【００４３】
表示装置１００ｂの特徴は、ＰＤＰ１ｂにおいて表示電極Ｘ，Ｙの端子が表示面に対する行方向の一方側にまとめて配置されていることである。全ての表示電極Ｘ，Ｙに対して表示面の一方側から通電を行うことにより、表示電極Ｘ，Ｙを等間隔に配列する形態ＢのＰＤＰ１ｂによるプログレッシブ表示において、電磁波放射の低減のための駆動波形を単純化することができる。なお、ＰＤＰ１ｂにおける表示面内の部分の構造は、図２で説明した構造と同一である。
【００４４】
図１９は第２実施形態に係る点灯維持動作の説明図、図２０は第２実施形態における表示電極を流れる放電電流の向きを示す図である。点灯維持を行う表示期間において、全ての表示電極Ｘと全ての表示電極Ｙとに対して、交互にサステインパルスＰｓを印加する。印加毎に奇数行および偶数行の双方において表示放電が生じる。図１９および図２０中の矢印で示されるように、各行において面放電ギャップを形成する表示電極Ｘと表示電極Ｘとで行方向における電流の向きが逆になる。したがって、表示電極Ｘで発生する磁界と表示電極Ｙで発生する磁界とが打ち消しあう。各行で打ち消しあうので原理的には完全に磁界が消失する。
【００４５】
以上の実施例は行毎に表示内容を設定するプログレッシブ表示を行う例であるが、本発明は隣り合う２行に１行分の表示データを適用する２行１組の表示を行う場合にも適用可能である。
【００４６】
【発明の効果】
請求項１ないし請求項５の発明によれば、実質的に２行に３本の割合で表示電極が配列されたＰＤＰによる表示において、アドレッシングから次のアドレッシングまでの間に行う点灯維持で全ての行を点灯させることができ、かつ電磁波放射を十分に低減することができる。
【図面の簡単な説明】
【図１】第１実施形態に係る表示装置の構成図である。
【図２】ＰＤＰのセル構造を示す図である。
【図３】ＰＤＰの隔壁パターンを示す平面図である。
【図４】期間設定の概要を示す図である。
【図５】プログレッシブ表示を実現する駆動シーケンスの一例を示す電圧波形図である。
【図６】壁電荷の極性変化を示す図である。
【図７】アドレス順序を示す図である。
【図８】表示期間の駆動波形の第１例を示す図である。
【図９】第１例の駆動波形を適用した場合における行と放電時期との関係を示す図である。
【図１０】相補表示電極対の設定の第１例を示す図である。
【図１１】第１実施形態における表示電極を流れる放電電流の向きを示す図である。
【図１２】表示期間の駆動波形の第２例を示す図である。
【図１３】第２例の駆動波形を適用した場合における行と放電時期との関係を示す図である。
【図１４】相補表示電極対の設定の第１例を示す図である。
【図１５】表示期間の駆動波形の第３例を示す図である。
【図１６】表示電極構造の第１変形例および相補表示電極単位対の設定例を示す図である。
【図１７】表示電極構造の第２変形例および相補表示電極単位対の設定例を示す図である。
【図１８】第２実施形態に係る表示装置の構成図である。
【図１９】第２実施形態に係る点灯維持動作の説明図である。
【図２０】第２実施形態における表示電極を流れる放電電流の向きを示す図である。
【符号の説明】
Ｘ1 〜Ｘ513   表示電極（第１表示電極）
Ｙ1 〜Ｙ512   表示電極（第２表示電極）
ＬＩＮＥ  行
１，１ｂ  ＰＤＰ
ＸＰ1 〜ＸＰ256   相補表示電極対
ＹＰ1 〜ＹＰ256   相補表示電極対
ＸＰ，ＹＰ  相補表示電極単位対
ＸＧ1 〜ＸＧ4   グループ
ＹＧ1 〜ＹＧ4   グループ
Ｐｓ  サステインパルス（維持電圧パルス）
【図１】
0003688206.tif 000002
【図２】
0003688206.tif 000003
【図３】
0003688206.tif 000004
【図４】
0003688206.tif 000005
【図５】
0003688206.tif 000006
【図６】
0003688206.tif 000007
【図７】
0003688206.tif 000008
【図８】
0003688206.tif 000009
【図９】
0003688206.tif 000010
【図１０】
0003688206.tif 000011
【図１１】
0003688206.tif 000012
【図１２】
0003688206.tif 000013
【図１３】
0003688206.tif 000014
【図１４】
0003688206.tif 000015
【図１５】
0003688206.tif 000016
【図１６】
0003688206.tif 000017
【図１７】
0003688206.tif 000018
【図１８】
0003688206.tif 000019
【図１９】
0003688206.tif 000020
【図２０】
0003688206.tif 000021